(57)【要約】【課題】製造が容易で、且つ、電線の挿入鎖錠状態及び誤配線が目視により極めて容易に確認し得るジョイントボックスの提供。【解決手段】長手方向両端部にコ状折曲部を形成したバネ部材を、器台に設けた電源導体収納溝の一側壁に設けた柱状突起に嵌装すると共に、前記柱状突起の両側側壁に設けた軸受に、前記バネ部材の反発バネ力により復帰する確認部材を回動自在に嵌装し、蓋体に前記確認部材に設けた表示部を確認する確認窓孔と、解錠釦嵌装口内に設けた板体に電線挿入口に開孔する電線被覆確認孔を穿設し、前記解錠釦嵌装口内に透明樹脂からなる解錠釦を嵌装した。【選択図】  図１
2006332012.tif 000002
【特許請求の範囲】
【請求項１】
複数条の分岐導体収納溝内に分岐導体を収納すると共に、複数条の電源導体収納溝内に両端部に電線鎖錠バネを嵌装した電源導体を収納し、接続すべき導体相互を電気的に接続する中間接続導体を収納した器台と、前記鎖錠バネにより鎖錠された電線導体を解錠する解錠釦を解錠釦嵌装口内に嵌装した蓋体とからなるジョイントボックスにおいて、
両端部にコ状折曲部（１１）を形成し、該コ状折曲部（１１）の長手方向外側面（１１ａ）と相対向する内側面（１１ｂ）に突設した突出板を斜め外方に折り曲げてバネ片（１１ｃ）を形成した複数個のバネ部材（１０）を器台（１）に設けた複数条の電源導体収納溝（２）の一側壁に設けた柱状突起（４）に嵌装すると共に、前記柱状突起（４）の両側側壁に設けた軸受（５）に、底板（１５ａ）を斜め後方に折り曲げて立ち上げその先端部を前方に折り返して表示部（１５ｂ）を形成し、且つ、底板（１５ａ）の折曲部両側に軸桿（１５ｃ）を突設した確認部材（１５）を回動自在に嵌装し、蓋体（２０）に前記確認部材（１５）に設けた表示部（１５ｂ）を確認する確認窓孔（２２）を列設すると共に、解錠釦嵌装口（２１）内に設けた板体（２４）に電線挿入口（２６）に開孔する複数個の電線被覆確認孔（２５）を列設し、前記解錠釦嵌装口（２１）内に透明樹脂からなる解錠釦（４０）を上下動自在に嵌装してなることを特徴とするジョイントボックス。
【発明の詳細な説明】
【技術分野】
【０００１】  本発明は、天井や床下配線に使用するジョイントボックスに関するものである。
【背景技術】
【０００２】  従来、天井や床下配線に使用するジョイントボックスにおいては、図９及び図１０に示すように器台５０に設けた複数条の分岐導体収納溝５１内に分岐導体５３を収納すると共に、複数条の電源導体収納溝５２内に両端部に鎖錠バネ５８を収納した電源導体５４を収納し、接続すべき導体相互を中間接続導体５５により電気的に接続し、蓋体５６に設けた解錠釦嵌装口５７内に前記電源導体５４の両端部に収納された鎖錠バネ５８により鎖錠された電線導体を解錠する解錠釦５９を嵌装して構成されていた。しかしながら、上記、ジョイントボックスにおいては、ジョイントボックスの器台５０に収納された電源導体５４に電線が確実に挿入され鎖錠バネ５８により抜け止めされたか否かを目視により確認することができないために、不完全接続により発熱したり、使用中に電線が抜け出る惧れがある等の問題点があった。【０００３】  上記問題点を解決する手段として図１１に示すように、器台６０に設けた電源導体収納溝６１内に収納される電源導体６２内に、一対の電線挿入確認駒６３ａ、６３ａ間をコイルスプリング６３ｂで連結した電線挿入確認部材６３を摺動自在に嵌装すると共に、蓋体６４に確認窓孔６５を穿設し、電源導体６２に電線が確実に挿入鎖錠されたか否かを目視により確認し得るように構成されたジョイントボックスが知られている。【０００４】  また、図１２に示すように電線導体が完全に挿入された時点で、蓋体７０に設けた表示孔７１から突出した確認棒７２が蓋体７０内に嵌入するように構成されたジョイントボックスが知られている。
【特許文献１】特開２００３−３０８９２９号公報
【発明の開示】
【発明が解決しようとする課題】
【０００５】  しかしながら、図１１に示す従来のジョイントボックスにおいては、一対の電線挿入確認駒６３ａ、６３ａ間をコイルスプリング６３ｂで連結した電線挿入確認部材６３を電源導体６２内に収納する際、コイルスプリング６３ｂを押し縮めて収納しなければならないため、コイルスプリング６３ｂに撓みが生じ電源導体６２内への装着が面倒なばかりでなく、コイルスプリング６３ｂの反発バネ力により電線挿入確認部材６３が電源導体６２から飛び出したり、電線挿入確認駒６３ａが飛ばされる等、作業性が極めて悪いという問題点があった。【０００６】  また、図１２（特開２００３−３０８９２９号公報参照）に示すジョイントボックスにおいては、蓋体７０から外方に確認棒７２が突出しているために機械的外力等により確認棒７２が損傷し役目をなさない等の問題点があった。【０００７】  本発明は従来の問題点を解決するためになされたもので、製造が容易で、且つ、電線の差込状態及び誤配線が目視により極めて容易に確認し得るジョイントボックスを提供することを目的とする。
【課題を解決するための手段】
【０００８】  両端部にコ状折曲部１１を形成し、該コ状折曲部１１の長手方向外側面１１ａと相対向する内側面１１ｂに突設した突出板を斜め外方に折り曲げてバネ片１１ｃを形成したバネ部材１０を、器台１に設けた複数条の電源導体収納溝２の一側壁に設けた柱状突起４に嵌装すると共に、該柱状突起４の両側側壁に設けた軸受５に、底板１５ａを斜め後方に折り曲げて立ち上げその先端部を前方に折り返して表示部１５ｂを形成し、且つ、底板１５ａの折曲部両側に軸桿１５ｃを突設した確認部材１５を回動自在に嵌装し、蓋体２０に前記確認部材１５に設けた表示部１５ｂが表示される確認窓孔２２を列設すると共に、解錠釦嵌装口２１内に設けた板体２４に電線挿入口２６に開孔する複数個の電線被覆確認孔２５を列設し、該解錠釦嵌装口２１内に透明樹脂からなる解錠釦４０を上下動自在に嵌装してジョイントボックスを構成した。
【発明の効果】
【０００９】  本発明によれば、電線導体Ｃが確実に電源導体３５内に挿入鎖錠されたことを蓋体２０に設けた確認窓孔２２により目視により確認し得るばかりでなく、本発明のジョイントボックスに接続される電線がダクト内に収納されている場合でも電線の色識別を目視により確認することができるので誤配線を有効に防止することができ、さらに、製造が容易で安価に提供し得る。
【発明を実施するための最良の形態】
【００１０】  以下、本発明を実施するための最良の形態を図面により説明する。
【実施例１】
【００１１】  図１は本発明の全体図を示す斜視図で、図において、１は器台、２０は蓋体、２１は解錠釦嵌装口で、該解錠釦嵌装口２１内には図６に示すように板体２４が設けられ、該板体２４には電線挿入口２６に開孔する複数の電線被覆確認孔２５が穿設されている。２２は蓋体２０に貫通穿設された複数個の確認窓孔、２６は電線挿入口、４０は透明樹脂からなる解錠釦である。【００１２】  図２は器台１の内部構造を示す斜視図で、１は器台、２は複数条の電源導体収納溝、３は該電源導体収納溝２に開孔する半円形の電線導体挿入孔、４は器台１に設けた複数条の電源導体収納溝２の一側壁に夫々設けた柱状突起で、該柱状突起４には後述するバネ部材１０（図３参照）に設けたコ状折曲部１１、１１が嵌装される。５は柱状突起４を設けた長手方向両側壁上面に設けた半円形の軸受で、該軸受５には後述する確認部材１５に設けた軸桿１５ｃ（図４参照）が回動自在に嵌装される。【００１３】  図３はバネ部材１０を示す斜視図で、該バネ部材１０はバネ性を有するステンレス板、燐青銅板等からなり、両端部にコ状折曲部１１を形成し、該コ状折曲部１１の長手方向外側面１１ａと相対向する内側面１１ｂには斜め外方に折り曲げ形成されたバネ片１１ｃが設けられている。このバネ部材１０は前述した器台１に設けた柱状突起４、４にコ状折曲部１１、１１を嵌合させて電源導体収納溝２内に収納される（図２参照）。【００１４】  図４は確認部材１５を示す斜視図で、該確認部材１５は底板１５ａを斜め後方に折り曲げて立ち上げその先端部を前方に折り返して表示部１５ｂを形成すると共に、前記底板１５ａの折曲部両側に軸桿１５ｃを設けて構成されている。この確認部材１５は前述した器台１に設けた電源導体収納溝２の側壁に設けた軸受５（図２参照）に回動自在に嵌装される。【００１５】  図５は蓋体２０の要部を示す斜視図で、２２は複数の確認窓孔でこの確認窓孔２２は前記器台１に設けた複数条の電源導体収納溝２に夫々開孔している。３０は器台１内への塵埃等の侵入を防止する透明板で、該透明板３０は蓋体２０に穿設した確認窓孔２２の孔縁に設けた溝２３に嵌着又は貼着等の方法により取り付けられている。【００１６】  図６は蓋体２０と解錠釦４０を示す斜視図で、蓋体２０には前記解錠釦嵌装口２１が設けられ、該解錠釦嵌装口２１内には解錠釦４０を押し下げた際に操作部底面４０ａが当接する板体２４が設けられ、その板面には電線挿入口２６に開孔する電線被覆確認孔２５が列設されている。４０は透明樹脂からなる解錠釦で、該解錠釦４０の先端部底面には鎖錠バネ３５ａ（図７参照）を下方に押圧して電線導体を解錠する突起４０ｂが設けられている。而して、解錠釦４０を透明にすることにより、ジョイントボックスに接続される電線が配線ダクト内に収納されている場合でも電線被覆の色識別及び挿入状態を解錠釦４０を透して電線被覆確認孔２５から目視により容易に確認し得ることから誤配線を極めて有効に防止し得る。【００１７】  図７は組み立て手順を示す分解斜視図で、先ず器台１に設けた複数条の電源導体収納溝２の一側壁に設けた柱状突起４、４に、バネ部材１０の両端部に設けたコ状折曲部１１、１１を嵌合させてバネ部材１０を電源導体���納溝２内に収納する。【００１８】  次いで、鎖状バネ３５ａを両端部に嵌装した電源導体３５を電源導体収納溝２内に収納する。【００１９】  次いで、バネ部材１０を嵌装した柱状突起４の両側壁に設けた軸受５に、確認部材１５の底板１５ａの上面に、バネ部材１０に折り曲げ形成したバネ片１１ｃの下面が位置するようにして（図８参照）、確認部材１５に設けた軸桿１５ｃを回動自在に嵌装する。【００２０】  最後に、図１に示すように器台１に、透明樹脂からなる解錠釦４０を嵌装した蓋体２０を螺子止め或いは加締付け固定する。【００２１】  図８はバネ部材１０と確認部材１５の動作説明図で、電線導体Ｃの先端部が確認部材１５の底板１５ａに当接すると確認部材１５がバネ部材１０に設けたバネ片１１ｃの反発バネ力に抗して回動し、電線導体Ｃが確実に挿入鎖錠された時点で確認部材１５に設けた表示部１５ｂが、蓋体２０に穿設した確認窓孔２２に位置するので、電線導体Ｃが確実に挿入鎖錠されたことが目視により極めて簡単に確認することができる。また、電線導体Ｃが引き抜かれた際には、確認部材１５はバネ部材１０に設けたバネ片１１ｃの反発バネ力により元の状態に復帰する。【００２２】  上述のように、本発明によれば組み立て作業が容易で、電線導体の挿入鎖錠状態が目視により確認し得るばかりでなく、本発明に接続される電線が配線ダクト内に収納されている場合であっても電線被覆の色識別が目視により確認し得ることから誤配線を確実に防止し得る。
【図面の簡単な説明】
【００２３】
【図１】  本発明の全体を示す斜視図
【図２】  器台の内部構造の要部を示す斜視図
【図３】  バネ部材を示す斜視図
【図４】  確認部材を示す斜視図
【図５】  蓋体の要部を示す斜視図
【図６】  蓋体と解錠釦を示す分解斜視図
【図７】  組み立て手順を示す分解斜視図
【図８】  バネ部材と確認部材の動作説明図
【図９】  従来のジョイントボックスを示す平面図
【図１０】  従来のジョイントボックスの要部を示す斜視図
【図１１】  従来のジョイントボックスを示す要部断面図
【図１２】  従来のジョイントボックスを示す要部断面図
【符号の説明】
【００２４】    １  器台
２  電源導体収納溝
４  柱状突起
５  軸受
１０  バネ部材
１１  コ状折曲部
１１ａ  外側面
１１ｂ  内側面
１１ｃ  バネ片
１５  確認部材
１５ａ  底板
１５ｂ  表示部
１５ｃ  軸桿
２０  蓋体
２１  解錠釦嵌装口
２２  確認窓孔
２４  板体
２５  電線被覆確認孔
２６  電線挿入口
４０  解錠釦
【図１】
2006332012.tif 000003
【図２】
2006332012.tif 000004
【図３】
2006332012.tif 000005
【図４】
2006332012.tif 000006
【図５】
2006332012.tif 000007
【図６】
2006332012.tif 000008
【図７】
2006332012.tif 000009
【図８】
2006332012.tif 000010
【図９】
2006332012.tif 000011
【図１０】
2006332012.tif 000012
【図１１】
2006332012.tif 000013
【図１２】
2006332012.tif 000014